【手続補正書】
【提出日】平成17年9月30日(2005.9.30)
【手続補正１】
【補正対象書類名】明細書
【補正対象項目名】特許請求の範囲
【補正方法】変更
【補正の内容】
【特許請求の範囲】  
【請求項１】  ポリサッカライド結合体であって、以下：
（ｉ）抗原呈示細胞（ＡＰＣ）の細胞表面に結合し得るポリサッカライド；および
（ｉｉ）安定なカルボニル基を有する１つ以上の分子であって、ここで該１つ以上の分子が芳香族アルデヒド、芳香族ケトン、シクロアルキルアルデヒド、シクロアルキルケトン、シクロアルケニルアルデヒド、シクロアルケニルケトン、複素環式アルデヒド、複素環式ケトン、複素芳香族ケトン、複素芳香族アルデヒド、アルキルアルデヒド、アルキルケトン、アルケニルアルデヒド、およびアルケニルケトンからなる群から選択される、１つ以上の分子を含み、
ここで、ポリサッカライド（ｉ）が、（ｉｉｉ）直接的共有結合によってか、または二官能性リンカーを介して共有結合的に、安定なカルボニル基をインタクトに保つ様式において、分子（ｉｉ）に付着する、ポリサッカライド結合体。
【請求項２】  請求項１に記載のポリサッカライド結合体であって、ここで、前記安定なカルボニル基を有する分子が、直接的共有結合を介して前記ポリサッカライドに結合する、ポリサッカライド結合体。
【請求項３】  請求項１に記載のポリサッカライド結合体であって、ここで、前記安定なカルボニル基を有する分子が、二官能性リンカー分子の残基を介して前記ポリサッカライドに結合する、ポリサッカライド結合体。
【請求項４】  請求項１に記載のポリサッカライド結合体であって、ここで、前記ポリサッカライドが、最低限２つの糖類を含有する、ポリサッカライド結合体。
【請求項５】  請求項１に記載のポリサッカライド結合体であって、ここで、前記ポリサッカライドが、β−グルカン；マンナン；ペクチンポリサッカライド；および２−アセトアミドグルカンポリサッカライドからなる群から選択される、ポリサッカライド結合体。
【請求項６】  請求項１に記載のポリサッカライド結合体であって、ここで、前記安定なカルボニル基を有する分子が、一置換および二置換Ｃ６−１０アリールアルデヒド、Ｃ６−１０アリール（Ｃ１−４）アルキルアルデヒド、およびこれらの混合物からなる群から選択される、ポリサッカライド結合体。
【請求項７】  請求項１に記載のポリサッカライド結合体であって、ここで、前記安定なカルボニル基を有する分子が、ホルミルまたはホルミル（Ｃ１−４）アルキル置換基によって置換された、フェニルまたはナフチルであり、そして必要に応じて、ハロ、ヒドロキシ、Ｃ１−４アルキル、Ｃ１−４アルコキシ、トリフルオロメチル、およびベンジルオキシからなる群から独立して選択される１つまたは２つのさらなる置換基を含む、ポリサッカライド結合体。
【請求項８】  請求項１に記載のポリサッカライド結合体であって、ここで、前記安定なカルボニル基を有する分子が、１つまたは２つのヒドロキシおよびハロによって置換された、ベンズアルデヒドおよびナフトアルデヒドである、ポリサッカライド結合体。
【請求項９】  請求項１に記載のポリサッカライド結合体であって、ここで、前記安定なカルボニル基を有する分子が、２，３−、２，４−、２，５−、および３，４−ジヒドロキシベンズアルデヒド、５−クロロ−２−ヒドロキシベンズアルデヒド、バニリン、エチルバニリン、ナリンゲニン、３−および４−ヒドロキシベンズアルデヒド、または４−ヒドロキシフェニルアセトアルデヒドである、ポリサッカライド結合体。
【請求項１０】  請求項１に記載のポリサッカライド結合体であって、ここで、前記安定なカルボニル基を有する分子が、ヒドロキシ置換Ｃ１−４アルキル（Ｃ６−１０）アリールケトン、およびヒドロキシ置換アリールケトンからなる群から選択される、ポリサッカライド結合体。
【請求項１１】  請求項１に記載のポリサッカライド結合体であって、ここで、前記安定なカルボニル基を有する分子が、２−ヒドロキシアセトフェノン、３−ヒドロキシアセトフェノン、４−ヒドロキシアセトフェノン、および６−ヒドロキシ−１，２−ナフトキノンからなる群から選択される、ポリサッカライド結合体。
【請求項１２】  請求項１に記載のポリサッカライド結合体であって、ここで、前記安定なカルボニル基を有する分子が、ヘテロアリールアルデヒドおよびヘテロアリールケトンからなる群から選択される、ポリサッカライド結合体。
【請求項１３】  請求項１に記載のポリサッカライド結合体であって、ここで、前記安定なカルボニル基を有する分子が、チオフェン、フラン、ベンゾチオフェン、ベンゾフラン、ピリジン、キノリン、ピリダジン、ピリミジン、ピラゾール、イミダゾール、１，２，３−トリアゾール、１，２，４−トリアゾール、イソオキサゾール、またはオキサゾールであって、これらの化合物の各々が、ケト、ホルミルまたはホルミル（Ｃ１−４）置換基を有し、好ましくはさらなるハロまたはヒドロキシ置換基が利用可能な環状炭素原子によって収容され得る場合に該これらの化合物の各々が該さらなるハロまたはヒドロキシ置換基を含む、ポリサッカライド結合体。
【請求項１４】  請求項１に記載のポリサッカライド結合体であって、ここで、前記安定なカルボニル基を有する分子が、ピリドキサール、２−チオフェンカルボキシアルデヒド、および３−チオフェンカルボキシアルデヒドの１つである、ポリサッカライド結合体。
【請求項１５】  請求項１に記載の結合体であって、ここで、前記二官能性リンカー分子の残基が、以下：
Ｈ２Ｎ−（ＣＨ２）ｒ−ＮＨ２、ここでｒは、２〜１２；
ＨＯ−（ＣＨ２）ｒ−ＮＨ２、ここでｒは、２〜１２；
ＨＳ−（ＣＨ２）ｒ−ＮＨ２、ここでｒは、２〜１２；
必要に応じてカルボキシ保護されたアミノ酸；および、
Ｈ−（Ｏ−ＣＨ２−ＣＨ２）ｎ−ＯＨ、ここでｎは１〜４、
からなる群から選択される、結合体。
【請求項１６】  請求項４に記載の結合体であって、ここで、前記二官能性リンカー分子が、以下：
エチレンジアミン、１，４−ブタンジアミン、スペルミジン、２，４−ジアミノ酪酸、リジン、β−アラニン、γ−アミノ酪酸、ジアラニン、トリアラニン、３，３’−ジアミノジプロピルアミン、ジアミノプロピオン酸、Ｎ−（２−アミノエチル）−１，３−プロパンジアミン、および２−（４−アミノフェニル）エチルアミン、
からなる群から選択される、結合体。
【請求項１７】  請求項１に記載の結合体であって、ここで、前記二官能性リンカー分子が、以下：
−ＮＨ−（ＣＨ２）ｒ−ＮＨ−、ここでｒは２〜５、
−Ｏ−（ＣＨ２）ｒ−ＮＨ−、ここでｒは２〜５、
−ＮＨ−ＣＨ２−Ｃ（Ｏ）−、
−Ｏ−ＣＨ２−ＣＨ２−Ｏ−ＣＨ２−ＣＨ２−Ｏ−、
−ＮＨ−ＮＨ−Ｃ（Ｏ）−ＣＨ２−、
−ＮＨ−Ｃ（ＣＨ３）２−Ｃ（Ｏ）−、
−Ｓ−（ＣＨ２）ｒ−Ｃ（Ｏ）−、ここでｒは１〜５、
−Ｓ−（ＣＨ２）ｒ−ＮＨ−、ここでｒは２〜５、
−Ｓ−（ＣＨ２）ｒ−Ｏ−、ここでｒは１〜５、
−Ｓ−（ＣＨ２）−ＣＨ（ＮＨ２）−Ｃ（Ｏ）−、
−Ｓ−（ＣＨ２）−ＣＨ（ＣＯＯＨ）−ＮＨ−、
−Ｏ−ＣＨ２−ＣＨ（ＯＨ）−ＣＨ２−Ｓ−ＣＨ（ＣＯ２Ｈ）−ＮＨ−、
−Ｏ−ＣＨ２−ＣＨ（ＯＨ）−ＣＨ２−Ｓ−ＣＨ（ＮＨ２）−Ｃ（Ｏ）−、
−Ｏ−ＣＨ２−ＣＨ（ＯＨ）−ＣＨ２−Ｓ−ＣＨ２−ＣＨ２−ＮＨ−、
−Ｓ−ＣＨ２−Ｃ（Ｏ）−ＮＨ−ＣＨ２−ＣＨ２−ＮＨ−、および、
−ＮＨ−Ｏ−Ｃ（Ｏ）−ＣＨ２−ＣＨ２−Ｏ−Ｐ（Ｏ２Ｈ）−、
からなる群から選択される、結合体。
【請求項１８】  請求項１に記載の結合体であって、ここで、前記ポリサッカライドが、以下：
β−グルカン；マンナン；ペクチンポリサッカライド；キチンおよびその誘導体；ムレイン；細菌のフルクタン；キサンタン；細菌のヘテロ多糖；真菌のプルラン；ならびにこれらのエステル、スルホナート、サルフェート、ホスフェート、エーテルおよび架橋誘導体、
からなる群から選択される、結合体。
【請求項１９】  請求項１に記載の結合体であって、ここで、前記ポリサッカライドが、（１→３）結合β−Ｄ−グルコピラノシル単位の骨格を有し、そして（１→６）結合によって結合するβ−Ｄ−グルコピラノシル単位を有し、分子量が約５，０００〜約５００，０００の間である、β−グルカンであって、ここで、該β−グルカンが、必要に応じて１つ以上の陰イオン性基、陽イオン性基、または非イオン性基の付加によって修飾される、結合体。
【請求項２０】  請求項１に記載の結合体であって、ここで、前記ポリサッカライドが、末端の還元マンノシル残基またはそのアセチル化産物を有する、（１→４）ポリマンノースを含む、β−マンナンである、結合体。
【請求項２１】  請求項１に記載の結合体であって、ここで、前記ポリサッカライドが、ヘモガラクツロナン、ラムノガラクツロナン、アラバン、ガラクタン、およびアラビノガラクタンからなる群から選択されるペクチンポリサッカライドであって、ここで前記ペクチンポリサッカライドが、免疫強化活性を有する、結合体。
【請求項２２】  薬学的組成物であって、以下、
請求項１に記載のポリサッカライド結合体、および、
薬学的に受容可能なキャリアまたは希釈剤、
を含有する、薬学的組成物。
【請求項２３】  請求項２２に記載の薬学的組成物であって、さらに前記ポリサッカライド結合体との混合物中の抗原を含有する、薬学的組成物。
【請求項２４】  ワクチンであって、以下：
（ａ）請求項１に記載のポリサッカライド結合体；
（ｂ）免疫学的有効量の抗原；および
（ｃ）薬学的に受容可能なキャリアまたは希釈剤、
を含有する、ワクチン。
【請求項２５】  動物において免疫応答を増強するための薬学的組成物であって、請求項２２に記載の組成物を含む、薬学的組成物。
【請求項２６】  動物において、抗原に対する免疫応答を増強するための薬学的組成物であって、請求項２４の組成物を含む、薬学的組成物。
【請求項２７】  動物をワクチン接種するための薬学的組成物であって、請求項２４に記載の組成物を含む、薬学的組成物。